(57)【要約】【課題】比較的簡易な装置構成により、予期せぬ揮発性有機物の混入を防止することのできる純水製造システムを提供すること。【解決手段】被処理水を供給しつつブロー空気を供給して脱炭酸する脱炭酸装置と、前記脱炭酸装置へ供給するブロー空気中の揮発性有機物を除去する揮発性有機物除去手段と、を備える純水製造システム。【選択図】図２
2014091095.tif 000002
【特許請求の範囲】
【請求項１】
被処理水を供給しつつブロー空気を供給して脱炭酸する脱炭酸装置と、
前記脱炭酸装置へ供給するブロー空気中の揮発性有機物を除去する揮発性有機物除去手段と、を備えることを特徴とする純水製造システム。
【請求項２】
前記脱炭酸装置は、被処理水を上方から注下させつつ、下方からブロー空気を供給して被処理水と向流接触させて脱炭酸する脱炭酸装置であることを特徴とする請求項１記載の純水製造システム。
【請求項３】
前記揮発性有機物除去手段は、前記揮発性有機物を物理吸着する物理吸着剤を備えることを特徴とする請求項１又は２記載の純水製造システム。
【請求項４】
前記脱炭酸装置へブロー空気を供給する、前記揮発性有機物除去手段を備えた第１の流路と、
前記脱炭酸装置へブロー空気を供給する、前記揮発性有機物除去手段を備えない第２の流路と、
第１の流路と第２の流路のいずれか一方からブロー空気を供給するように流路を切り替える切替弁と、
第２の流路の空気取入口の近傍に配置された揮発性有機物検知器と、
前記揮発性有機物検知器の出力で前記切替弁を切り替える制御装置と、
を備えることを特徴とする請求項１乃至３のいずれか１項記載の純水製造システム。
【請求項５】
前記制御装置は、０．１〜０．５ｍｇ／ｍ３の間に設定された第１の閾値に基づき、
前記揮発性有機物検知器の出力が第１の閾値を超えた時に第１の流路を介してブロー空気を供給し、前記第１の閾値以下の時に前記第２の流路を介してブロー空気を前記脱炭酸装置に供給するよう前記切替弁を制御することを特徴とする請求項４記載の純水製造システム。
【請求項６】
前記揮発性有機物除去手段は、活性炭吸着塔からなることを特徴とする請求項１乃至５のいずれか１項記載の純水製造システム。
【請求項７】
前記脱炭酸装置は、疎水性膜を介して液相と気相に分離され、前記液相に被処理水を供給しつつ前記気相にブロー空気を供給し、前記被処理水と前記ブロー空気を前記疎水性膜を介して接触させることで脱炭酸する脱炭酸膜装置であることを特徴とする請求項１記載の純水製造システム。
【請求項８】
脱炭酸装置の下流側に、紫外線酸化装置と、混床式イオン交換装置と、をこの順に備えてなることを特徴とする請求項１乃至７のいずれか１項記載の純水製造システム。
【請求項９】
脱炭酸装置の下流側に、逆浸透膜装置と、紫外線酸化装置と、混床式イオン交換装置とをこの順に備えてなることを特徴とする請求項１乃至８のいずれか１項記載の純水製造システム。
【請求項１０】
前記紫外線酸化装置と前記混床式イオン交換装置との組を２組以上備えることを特徴とする請求項１乃至９のいずれか１項記載の純水製造システム。
【発明の詳細な説明】
【技術分野】
【０００１】
本発明は、脱炭酸処理水への汚染成分の混入を防止した純水製造システムに係り、特に、脱炭酸処理水への環境からの予期せぬ揮発性有機物の混入を防止した純水製造システムに関する。
【背景技術】
【０００２】
従来、例えば、半導体製造分野、医薬品製造分野では非常に純度の高い純水が使用されている。この純水は、原水から懸濁物質を除去して前処理水とする前処理システム、前処理水からイオン成分、有機物、溶存ガス等を除去して一次純水とする一次純水システム、一次純水を貯留する一次純水タンク、一次純水をさらに高純度とする二次純水システム等を備えた純水製造システムで製造され、ユースポイント（以下、ＰＯＵともいう。）に供給されている。ユースポイントで使用されなかった余剰の純水は、循環配管を介して一次純水タンクにリターン循環され、再び二次純水システムで処理されてユースポイントに供給されている。
【０００３】
純水の製造には、種々の有機物の混入した市水や工業用水などが原水として用いられる。この有機物は主に動植物の分解によって生じたものであり、その種類や混入量は立地条件に大きく依存する。そのため、従来の純水製造システムでは、これらの有機物を分離除去する逆浸透膜装置や有機物をより分子量の小さい有機物や炭酸ガスに分解する紫外線酸化装置、紫外線酸化装置で生成した有機物を吸着するポリッシャー等を配置して有機物を可能な限り除去するようにしている。
【０００４】
また、一次純水システムには、炭酸カルシウム等のスケールの形成を防ぐために、原水からアルカリ土類金属イオンを除去するイオン交換装置とともに、溶存炭酸ガスを除去する脱炭酸装置が備えられている。
この脱炭酸装置は、被処理水中の溶存炭酸ガスを除去することで、後段に置かれる水処理装置、例えば強塩基性陰イオン交換装置の負荷を軽減するという役割も担っている。
【０００５】
脱炭酸装置は、外部の空気を脱炭酸塔内に供給することで、被処理水と空気を向流接触させ脱炭酸するものが用いられ、一般に逆浸透膜装置やイオン交換装置の前段に備えられる。このような脱炭酸装置として、脱炭酸装置に供給される空気を水洗浄する空気洗浄手段を備えた脱炭酸装置が知られている（例えば、特許文献１、参照。）
【０００６】
また、脱炭酸装置として、疎水性膜を介して気相と液相に分離され、疎水性膜を介して被処理水を空気と接触させることで脱炭酸を行う脱炭酸膜装置を用いて構成された純水製造システムも知られている（例えば、特許文献２、参照）。
【先行技術文献】
【特許文献】
【０００７】
【特許文献１】特開平１０−２４２８６号公報
【特許文献２】特開２００３−８０２４５号公報
【発明の概要】
【発明が解決しようとする課題】
【０００８】
ところで、近年、純水水質への要求が厳しくなってきており、例えば、ＴＯＣ濃度が１．０μｇＣ／Ｌ以下の水質を安定に得ることが求められてきている。
【０００９】
本発明者らは、かかる要請に応えるべく、後に詳しく説明する純水製造システムの脱炭酸装置の出口水、混床式イオン交換装置の出口水及びポリッシャーの出口水の水質をそれぞれモニターしていたところ、混床式イオン交換装置の出口水のＴＯＣ濃度が一時的に上昇し、これに若干遅れたタイミングでポリッシャーの出口水のＴＯＣ濃度も一時的に上昇したことを見出した。
【００１０】
そして、その原因を追究したところ、ＴＯＣ濃度が急激に上昇した水が脱炭酸装置で処理されていた頃に、純水製造システムの設置された敷地内において揮発性有機物（以下、ＶＯＣともいう。）を用いた作業が行われていたことを突き止めた。さらに、追試験の結果、このＴＯＣ濃度の一時的な上昇は、作業で用いた揮発性有機物が脱炭酸装置のブロー空気へ混入したことが原因であることを確認した。
【００１１】
この背景には、純水製造システムの大型化が進んで占有面積が広大となり、敷地内で作業の行われる頻度も高くなって、その結果、揮発性有機物が予期せずブロー空気に混入する可能性が高くなってきたことがある。
【００１２】
本発明はかかる知見に基づいてなされたもので、比較的簡易な装置構成により、脱炭酸処理水への予期せぬ揮発性有機物の混入を防止することのできる純水製造システムを提供することを目的とする。
【課題を解決するための手段】
【００１３】
上記した課題を解決するため、本発明の純水製造システムは、被処理水を供給しつつブロー空気を供給して脱炭酸する脱炭酸装置と、前記脱炭酸装置へ供給するブロー空気中の揮発性有機物を除去する揮発性有機物除去手段と、を備えることを特徴とする。
【００１４】
本発明の純水製造システムは、脱炭酸装置へ供給されるブロー空気中の揮発性有機物を除去する揮発性有機物除去手段を備えているので、脱炭酸処理水への予期せぬ揮発性有機物の混入を防ぐことができる。
【００１５】
また、前記脱炭酸装置は、被処理水を上方から注下させつつ、下方からブロー空気を供給して被処理水と向流接触させて脱炭酸する脱炭酸装置であることが好ましい。また、前記脱炭酸装置は、疎水性膜を介して液相と気相に分離され、前記液相に被処理水を供給しつつ前記気相にブロー空気を供給し、前記被処理水と前記ブロー空気を前記疎水性膜を介して接触させることで脱炭酸する脱炭酸膜装置であることが好ましい。
【００１６】
本発明の純水製造システムにおいて、前記揮発性有機物除去手段は、前記揮発性有機物を物理吸着する物理吸着剤を備えることが好ましい。この場合には、微量の揮発性有機物を確実に吸着することができるため、脱炭酸処理水への揮発性有機物の混入を防ぐことができる。
【００１７】
また、本発明の純水製造システムは、前記脱炭酸装置へブロー空気を供給する、前記揮発性有機物除去手段を備えた第１の流路と、前記脱炭酸装置へブロー空気を供給する、前記揮発性有機物除去手段を備えない第２の流路と、第１の流路と第２の流路のいずれか一方からブロー空気を供給するように流路を切り替える切替弁と、第２の流路の空気取入口の近傍に配置された揮発性有機物検知器と、前記揮発性有機物検知器の出力で前記切替弁を切り替える制御装置と、を備えることが好ましい。
【００１８】
この場合には、ブロー空気中に揮発性有機物が一定量以上混入したことを検知したときに揮発性有機物除去手段を介してブロー空気を脱炭酸装置に供給することができる。そのため、揮発性有機物除去手段の寿命を延長し、揮発性有機物を効率よく除去することができる。
【００１９】
そして、前記制御装置は、０．１〜０．５ｍｇ／ｍ３の間に設定された第１の閾値に基づき、前記揮発性有機物検知器の出力が第１の閾値を超えた時に第１の流路を介してブロー空気を供給し、前記第１の閾値以下の時に前記第２の流路を介してブロー空気を前記脱炭酸装置に供給するよう前記切替弁を制御することが好ましい。この場合、揮発性有機物除去手段の寿命をより延長し、揮発性有機物を効率よく除去することができる。
【００２０】
また、前記揮発性有機物除去手段は、活性炭吸着塔からなることが好ましい。この場合、揮発性有機物除去手段を脱炭酸装置の態様に応じて好適な形態とすることができるから、吸着能が低下した際にも容易に交換することができる。
【００２１】
本発明の純水製造システムは、脱炭酸装置の下流側に、紫外線酸化装置と、混床式イオン交換装置とをこの順に備えてなることが好ましい。この場合、揮発性有機物の予期せぬ混入を防ぐことで、被処理水中のＴＯＣ濃度を極めて低減することができる。
【００２２】
また、純水製造システムは、脱炭酸装置の下流側に、逆浸透膜装置と、紫外線酸化装置と、混床式イオン交換装置とをこの順に備えてなることが好ましい。さらに、紫外線酸化装置と混床式イオン交換装置との組を２組以上備えてなることが好ましい。この場合、より安定して高水質の純水を製造することができる。
【００２３】
なお、本明細書において「揮発性有機物」とは、大気中に排出され、又は飛散した時に気体である有機化合物をいう。
【発明の効果】
【００２４】
本発明の純水製造システムによれば、比較的簡易な装置により、脱炭酸装置での処理水への汚染成分の混入を抑制することができる。特に、揮発性有機物の混入を防ぐことができる。
【図面の簡単な説明】
【００２５】
【図１】純水製造システムの構成を示すフロー図である。
【図２】実施形態の揮発性有機物除去装置付設脱炭酸装置を示す概略構成図である。
【図３】実験１で用いた装置を示す概略構成図である。
【図４】実施形態の揮発性有機物除去装置付設脱炭酸装置を示す概略構成図である。
【図５】実施例における空気中のＶＯＣ濃度を示すグラフである。
【図６】実施例の純水製造システムにおける水質変動を示すグラフである。
【図７】実施例の純水製造システムにおける水質変動を示すグラフである。
【図８】実験１における空気中のＶＯＣ濃度を示すグラフである。
【図９】実験１の純水製造システムにおける水質変動を示すグラフである。
【図１０】比較例の純水製造システムにおける水質変動を示すグラフである。
【図１１】従来の純水製造システムにおける水質変動を示すグラフである。
【発明を実施するための形態】
【００２６】
次に、本発明を、図面を参照して詳細に説明する。なお、図面中同様の機能を奏する装置には同一の符号を付して詳細な説明を省略する。
【００２７】
図１は、従来の純水製造システムの構成を示すフロー図である。図１に示される純水製造システム１は、前処理システム１０と、前処理システム１０で処理された前処理水を貯留する前処理タンクＴ１と、前処理タンクＴ１の下流の一次純水システム２０と、一次純水システム２０で製造された一次純水を貯留するタンクＴ３と、タンクＴ３の下流の二次純水システム３０とを有している。
【００２８】
純水製造システム１は、図示しない循環配管で一次純水タンクから前処理タンクへ一次純水を循環させるよう構成されている。また、製造された純水がユースポイントへ供給され、余剰の純水がリターン配管でタンクＴ３に循環されるよう構成されている。
【００２９】
一次純水システムは、活性炭装置（ＡＣ）２１、強酸性陽イオン交換装置（ＳＣ）２２、脱炭酸装置（ＤＧ）２３、強塩基性陰イオン交換装置（ＳＡ）２４、タンクＴ２、逆浸透膜装置（ＲＯ）２５、紫外線酸化装置（ＴＯＣ−ＵＶ）２６、混床式イオン交換装置（ＭＢ）２７を順に備えている。
【００３０】
二次純水システムは、紫外線酸化装置（ＴＯＣ−ＵＶ）３１、ポリッシャー（Ｐｏｌｉｓｈｅｒ）３２、脱気膜装置（ＭＤＧ）３３、限外ろ過膜装置（ＵＦ）３４を順に備えている。
【００３１】
本発明者らは、純水製造システム１と同様の構成であり、１００ｍ３／ｈ以上の処理流量で比抵抗１８．２ＭΩ・ｃｍ以上、ＴＯＣ濃度１．０μｇＣ／Ｌ以下の純水が製造されている純水製造システムの脱炭酸装置２３、混床式イオン交換装置２７及びポリッシャー３２の出水口の水質について、図１１に示されるように、ＴＯＣ濃度が混床式イオン交換装置の出口水（細線）で一時的に急激に上昇し、これに若干遅れたタイミングでポリッシャーの出口水（太線）でも上昇していることを見出した。このとき、脱炭酸装置２３の出口水のＴＯＣ濃度（鎖線）は、８５０μｇＣ／Ｌ前後で見かけ上変動してない。しかし、本発明者らは、ＴＯＣ濃度上昇の原因を詳細に追究して、末端近辺でのＴＯＣ濃度が急激に上昇した水が脱炭酸装置で処理されていた頃に、純水製造システムの設置された敷地内において揮発性有機物を用いた作業が行われていたことを突き止め、このＴＯＣ濃度の一時的な上昇が揮発性有機物によるものであることを確認すべく次に示す追試験（実験１）を行った。
【００３２】
（実験１）
以下の水処理装置を用いて、図１と同様の構成の純水製造システム１を、床面積３０ｍ２、天井高さ約４ｍの建屋３００内に構成して純水を製造した。純水製造システム建屋の概略構成図を図３に示す。
【００３３】
純水製造システム１の脱炭酸装置２３には、揮発性有機物除去手段である活性炭吸着塔２１４と、活性炭吸着塔２１４をバイパスするバイパス管２１０を設置した。また、脱炭酸装置２３のブロー空気中の揮発性有機物濃度を測定するＶＯＣ計２１２を、ブロー空気を送入するブローポンプ２０９の直後に設置し、ブロー空気中の初期ＶＯＣ濃度を測定した。
【００３４】
純水製造システム１：処理流量１．６ｍ３／ｈ、
原水：厚木市市水
前処理システム：メンブレンフィルター（ＭＦ）：ファインセップ、野村マイクロ・サイエンス（株）社製、
タンクＴ１、タンクＴ２：容量２ｍ３、
【００３５】
［一次純水システム］
活性炭装置２１：クラレコール（登録商標、以下同じ。）ＧＷ−６−１２（クラレケミカル（株）社製）、１００Ｌ充填、
陽イオン交換装置２２：デュオライト（登録商標、以下同じ。）Ｃ２０（ダウケミカル社製）、６４Ｌ充填、
脱炭酸装置２３：高さ３．５ｍ、充填層高さ：２．３ｍ、
送気量３２ｍ３／ｈ、被処理水流量１．６ｍ３／ｈ、
活性炭吸着塔２１４：クラレコールＧＷ−６−１２（クラレケミカル（株）社製）、７Ｌ充填、
揮発性有機物センサー（ＶＯＣ計）２１２：
(株)堀場製作所製、ポータブルＶＯＣ分析計  ＦＶ−２５０
陰イオン交換装置２４：デュオライトＡ１１３（ダウケミカル社製）、１１０Ｌ充填、
逆浸透膜装置２５：ＳＵＬ−Ｇ２０、東レ（株）社製、
紫外線酸化装置２６：ＡＵＶ、日本フォトサイエンス（株）社製、０．３ｋＷｈ／ｍ３、
混床式イオン交換装置２７：デュオライトＣ２５５、２１Ｌ及びＡＧＰ、４３Ｌ（いずれもダウケミカル社製）、混合充填。
【００３６】
［二次純水システム］
紫外線酸化装置３１：ＳＵＶ、日本フォトサイエンス（株）社製、０．３ｋＷｈ／ｍ３、
ポリッシャー３２：ＭＢＧＰ、ダウケミカル社製、
脱気膜装置３３：リキセル（登録商標）１８×２８外圧型分離膜Ｘ−４０、ポリポア（株）社製、
限外ろ過膜装置３４：ＯＬＴ−６０３６Ｈ、旭化成ケミカルズ（株）社製、
タンクＴ３：容量２ｍ３、
【００３７】
実験１では、ブロー空気を、バイパスライン２１０を通じて脱炭酸装置２３に送入して純水を製造した。このとき、純水製造システムを稼働させた状態で、図３に示される純水製造システム建屋３００内の、脱炭酸装置のブローポンプ２０９の空気取入口から直線距離Ｌが３ｍの位置でキシレン５０ｍＬをプラスチック板３０１（面積１ｍ３）上に静かに流下して放置した。
なお、このとき、純水製造システム建屋３００はドア等を閉鎖してほぼ密閉状態とした。
【００３８】
キシレンの流下開始からの経過時間とブロー空気中の初期ＶＯＣ濃度との関係を図８に、脱炭酸装置２３、混床式イオン交換装置２７、ポリッシャー３２の出水口で採取した処理水のＴＯＣ濃度との関係を図９に示す。
【００３９】
なお、図９において、鎖線は脱炭酸装置２３、細線は混床式イオン交換装置２７、太線はポリッシャー３２の出水中のＴＯＣ濃度をそれぞれ示している。
【００４０】
実験１では、空気中には総量２．７ｍｇ／ｍ３以下程度の低濃度で難分解性の揮発性有機物が混入している（図８参照）。このとき、図９に示されるように、脱炭酸装置２３の出口水のＴＯＣ濃度は１，２００μｇＣ／Ｌ前後で、見かけ上変動していないにもかかわらず、混床式イオン交換装置２７、ポリッシャー３出口水のＴＯＣ濃度は空気中の揮発性有機物濃度の上昇に応答して上昇し、ポリッシャー３２の各出口水では一時的に１．０μｇＣ／Ｌを超えてしまうことが分かる。これは、揮発性有機物が混入したままの空気が脱炭酸装置２３に送入されたためである。なお、脱炭酸装置２３の出口水のＴＯＣ濃度が１，２００μｇＣ／Ｌ前後で、見かけ上変動していないことから、揮発性有機物の混入による脱炭酸処理水のＴＯＣ濃度への影響が極めてわずかであることがわかる。
【００４１】
このように、本発明者らは、揮発性有機物がブロー空気中に予期せず混入した場合には、それが極めて低濃度であっても、末端水質に悪影響を与えることを確認した。特に、難分解性の揮発性有機物である、ベンゼン、トルエン、キシレン等は、水への溶解性が低く、また、表面張力が小さいことから、配管表面に付着し易いと考えられる。そのため、一度処理水に混入すると、イオン成分やその他の有機物成分より比較的長時間配管内に滞留して末端水質に悪影響を与え続けるおそれもあると考えられる。
【００４２】
また、本発明者らは、上記した知見に基づいて半導体製造工場内に設置された純水製造システム周辺の空気中ＶＯＣ濃度について調査したところ、半導体製造工程において用いられるイソプロピルアルコール、アセトンなどの排ガスが、例えばスクラバーから空気中に混入し、空気中の揮発性有機物濃度が高くなる場合があることをも突き止めた。
【００４３】
なお、本発明者らは、ブロー空気を、揮発性有機物除去装置を通じて脱炭酸装置２３に送入することで、ポリッシャー出口水のＴＯＣ濃度を低濃度で安定させることを見出したが、これについては後に実施例において詳しく述べる。
【００４４】
次に、本発明者らがこの実験の結果に基づいて完成した本発明の実施形態について、図面を参照して詳細に説明する。なお、本発明は以下の実施形態に限定されるものではない。
【００４５】
（第１の実施形態：揮発性有機物除去装置付設脱炭酸装置）
図２は本発明による第１の実施形態の揮発性有機物除去装置付設脱炭酸装置（以下、ＶＯＣ除去装置付設脱炭酸装置という。）を示す概略構成図である。
【００４６】
図２に示されるＶＯＣ除去装置付設脱炭酸装置２は図１に示される脱炭酸装置２３に揮発性有機物除去手段を備えるものである。
【００４７】
ＶＯＣ除去装置付設脱炭酸装置２において、脱炭酸塔２０１内には、空隙率の大きい気液接触材が多数充填された充填層２０２が配設され、充填層２０２の下部には処理水貯溜部２０３が設けられている。被処理水は、給水管２０４に接続されたシャワーヘッドから充填層２０２に注下される。また、脱炭酸塔２０１にはブロー管２０５が接続されており、ブロー空気はブロー管２０５から送入され、脱炭酸塔２０１の上部より排出される。
【００４８】
ブロー管２０５の入気口側には、揮発性有機物除去手段として揮発性有機物除去装置２０６が配置されている。この揮発性有機物除去装置２０６には、切替弁である電磁バルブ２０７を介装した入気管２０８（第１の流路）が開口しており、この入気管２０８よりブローポンプ２０９を介して外部の空気が送入される。
【００４９】
さらに、揮発性有機物除去装置２０６をバイパスしてブロー管２０５に接続されたバイパス管２１０（第２の流路）が切替弁である電磁バルブ２１１を介して設けられている。
揮発性有機物除去装置２０６の入気口側のサンプルライン上には、送入されるブロー空気中の揮発性有機物の量を測定する揮発性有機物センサー２１２（揮発性有機物検知器）が備えられている。
【００５０】
なお、第１の実施形態では揮発性有機物除去装置２０６は２基が並列に接続されているが、揮発性有機物除去装置は１基であってもよく、２基以上を並列又は直列に接続してもよい。
【００５１】
揮発性有機物除去装置２０６は、揮発性有機物を除去することでその除去性能が徐々に低下して飽和するため、装置の交換や再生処理が行われるが、２基以上の揮発性有機物除去装置を並列して接続する場合には、例えば、１基の揮発性有機物除去装置の吸着能が低下したときに他の揮発性有機物除去装置を用いるようにし、吸着能が低下した揮発性有機物除去装置の交換や再生等の操作を行うことができる。
【００５２】
揮発性有機物除去装置２０６は、ブロー空気中の揮発性有機物を除去するものであり、ブロー空気中の揮発性有機物を好ましくは０．５ｍｇ／ｍ３以下、より好ましくは０．１ｍｇ／ｍ３以下に低減するものである。
【００５３】
揮発性有機物除去装置２０６としては、物理吸着剤を備えた吸着装置からなることが好ましい。物理吸着剤としては、揮発性有機物としての、酢酸メチル、酢酸エチル等のエステル化合物、ベンゼン、トルエン等の芳香族化合物、イソプロピルアルコール等のアルコール、アセトン、メチルエチルケトン等のカルボニル化合物を吸着除去できるものを用いることが好ましい。このような物理吸着剤としては、活性炭、シリカゲル、アルミナ、ゼオライトを使用することができ、水分を吸着することによる吸着能の低下を抑制することができるため、疎水性の物理吸着剤が好ましく、疎水性表面を有する活性炭が特に好ましい。
【００５４】
揮発性有機物除去装置２０６として、活性炭吸着塔を用いることで、イニシャルコスト、ランニングコストを低減することができる。また、維持管理も簡便である。活性炭吸着塔を複数台、特に好ましくは２〜３台を並列に接続して設置すれば、吸着能を勘案し、交換時期に応じて順次交換することもできる。
【００５５】
揮発性有機物除去装置２０６を、活性炭吸着塔とする場合には、活性炭の形状は特に限定されず、例えば、粉砕状、粉末状、ペレット状、シート状、繊維状の活性炭で構成された活性炭吸着塔とすることもできる。
【００５６】
揮発性有機物センサー２１２（揮発性有機物検知器）としては、空気中の低濃度の揮発性有機物を検出できるものであれば限定されず、触媒酸化−非分散形赤外線分析法（ＮＤＩＲ）、水素炎イオン化形分析法（ＦＩＤ）、光イオン化検出法（ＰＩＤ）等を利用した装置を用いる。揮発性有機物センサー２１２を用いる場合には、ブロー空気中に揮発性有機物が一定量以上混入したときに揮発性有機物除去手段を介してブロー空気を脱炭酸塔に供給することができる。したがって、揮発性有機物除去装置２０６の交換、再生の頻度を低減し、そのための工程や装置を削減することができる。
【００５７】
さらに、揮発性有機物センサー２１２を用いる場合には、揮発性有機物除去装置２０６によるブロー空気中の揮発性有機物以外の成分を含めた総吸着量をより少なくすることができる。そのため、揮発性有機物除去装置２０６を小型化することができ、脱炭酸装置の態様に応じて物理吸着剤を充填したボンベやカートリッジ、物理吸着剤で構成された交換式フィルター、交換式モジュール等の形態とすることができるから、吸着能が低下した際にも容易に交換することができる。
【００５８】
次に、第１の実施形態における脱炭酸処理について説明する。
【００５９】
給水管２０４から被処理水を給水している状態で、ブローポンプ２０９を作動させる。
同時に揮発性有機物センサー２１２を作動させる。例えば、検出される揮発性有機物の濃度が０．１〜０．５ｍｇ／ｍ３の範囲に閾値を決定し、この閾値以下となった時に、電磁バルブ２０７を閉鎖し、電磁バルブ２１１を開放して、ブロー空気を、バイパスライン２１０を介して脱炭酸塔２０１に送入するようにする。揮発性有機物の濃度が上記した閾値を超えた時には電磁バルブ２０７を開放し、電磁バルブ２１１を閉鎖して、ブロー空気を、揮発性有機物除去装置２０６を経て脱炭酸塔２０１に送入するようにする。
【００６０】
閾値は、検出される揮発性有機物の濃度が０．５ｍｇ／ｍ３とすることが好ましく、０．３ｍｇ／ｍ３とすることがより好ましい。閾値を小さくすれば純水製造システムの末端付近におけるＴＯＣ濃度を低濃度で安定に維持できるが、小さすぎると揮発性有機物除去装置２０６の交換頻度が増加してコスト増を招くためである。
【００６１】
電磁バルブ２０７、２１１の開閉は、揮発性有機物センサー２１２の出力で制御装置２１３により制御することができる。
【００６２】
このとき、十分に脱炭酸を行うために、脱炭酸塔２０１におけるブロー空気の送気量は被処理水流量に対して２０倍程度であることが好ましい。
また、脱炭酸塔２０１では、溶存炭酸ガス濃度が３．０ｍｇＣ／Ｌ以下の脱炭酸処理水を得ることが好ましい。
【００６３】
このように、第１の実施形態によれば、ブロー空気への揮発性有機物の予期せぬ混入を防ぐことで、揮発性有機物の脱炭酸処理水への混入を防ぐことができる。そのため、これを用いて純水製造システムを構成した場合に、後段に備えられる紫外線酸化装置やイオン交換装置の負荷を軽減することができるから、有機物除去効率を向上させることができる。
【００６４】
また、第１の実施形態によれば、逆浸透膜装置や紫外線酸化装置で十分に除去することができない難分解性の揮発性有機物の脱炭酸処理水への混入を防ぐことができる。そのため、これを用いて純水製造システムを構成した場合に、難分解性の揮発性有機物に起因する処理水のＴＯＣ濃度の上昇を防止することができる。
【００６５】
さらに、装置構成も簡易であり、運転管理も簡便であるため、効率よく高純度の純水を製造することが可能である。
【００６６】
（第２の実施形態：脱炭酸膜装置を用いたＶＯＣ除去装置付設脱炭酸装置）
本発明の第２の実施形態は、第１の実施形態において、脱炭酸塔２０１の代わりに脱炭酸膜装置４００を用いたものであり、その他は第１の実施形態と同様である。第１の実施形態と同様の部分は詳細な説明を省略する。
図４に第２の実施形態のＶＯＣ除去装置付設脱炭酸装置４の概略構成図を示す。
【００６７】
図４において、脱炭酸膜装置４００には、多孔性の疎水性膜４０１で液相４０２と気相４０３に分離された膜モジュールが収納されている。気相４０３にはブロー空気がブロー管２０５から送入されて図示しない排気口から排気されるようになっている。被処理水は被処理水供給管４０４から供給され、液相４０２を流通する際に疎水性膜を介してブロー空気と接触して脱気される。脱炭酸処理水は液相４０２の図示しない処理水排出口から排出されるようになっている。
【００６８】
脱炭酸膜装置４００の構造自体は通常用いられる膜脱気装置と同様であり、膜モジュールとしては、通常の膜脱気装置に用いられるポリプロピレン系、ポリウレタン系のものであって、中空糸型、スパイラル型、中空糸型の脱気膜を用いた膜モジュールを使用することができる。
【００６９】
脱炭酸装置４００では、疎水性膜４０１を介して水と空気とが接触することにより、濃度分圧の差により被処理水中の炭酸ガスが気相４０３のブロー空気へ移行して脱炭酸が行われ、これにより炭酸ガス濃度の低い脱炭酸処理水を得ることができる。
【００７０】
十分に脱炭酸を行うために、脱炭酸膜装置４００におけるブロー空気の送気量は、脱炭酸膜装置４００全体として被処理水流量の２０倍程度とすることが好ましい。
このとき、脱炭酸膜装置の運転方法は限定されず、例えば気相４０３へのブロー空気の送入は減圧又は加圧された状態であってもよい。
【００７１】
このような脱炭酸膜装置４００では、溶存炭酸ガス濃度が３．０ｍｇＣ／Ｌ以下の脱炭酸処理水を得ることが好ましい。
【００７２】
第２の実施形態によれば、第１の実施形態と同様に、難分解性の揮発性有機物の脱炭酸処理水への混入を防ぐことができる。そのため、これを用いて純水製造システムを構成した場合に、難分解性の揮発性有機物に起因する処理水のＴＯＣ濃度の上昇を防止することができる。
【００７３】
さらに、装置構成も簡易であり、運転管理も簡便であるため、効率よく高純度の純水を製造することが可能である。
【００７４】
（第３の実施形態：純水製造システム）
第３の実施形態は揮発性有機物除去手段を備えた純水製造システムの好ましい構成であり、図１に示される従来の純水製造システムと同様の構成とすることができる。
【００７５】
第３の実施形態の純水製造システム１は、脱炭酸装置２３へ供給するブロー空気中の揮発性有機物を除去する揮発性有機物除去手段を備えている。具体的には、純水製造システム１は、脱炭酸装置２３として第１の実施形態のＶＯＣ除去装置付設脱炭酸装置２又は第２の実施形態のＶＯＣ除去装置付設脱炭酸装置４を備えることが好ましい。
【００７６】
純水製造システム１における脱炭酸装置２３では、溶存炭酸ガス濃度を３．０ｍｇＣ／Ｌ以下とすることが好ましい。また、被処理水の流量は、処理流量や各水処理装置、配管設備に応じて変更することができ、０．５〜４ｍ３／ｈであることが好ましく、１．０〜２．０ｍ３／ｈであることがより好ましい。流量が小さすぎると脱炭酸が十分でないためにＴＯＣの低減が十分に行えず、一方、流量が大きすぎると、脱炭酸装置２３内での被処理水の不均一化が起こり、それぞれ処理水中のＴＯＣの低減が十分に行えないおそれがある。
【００７７】
また、一次純水システムの脱炭酸装置２３の下流側に、逆浸透膜装置２５を備えることが好ましい。また、逆浸透膜装置２５の後段に、１８０〜１９０ｎｍの波長を含む紫外線を照射する低圧紫外線ランプを備えた紫外線酸化装置２６と、混床式イオン交換装置２７とをこの順に配置することが好ましい。
【００７８】
本実施形態では、逆浸透膜装置２５での除去率の低い揮発性有機物の混入を脱炭酸装置２３において防止しているので、紫外線酸化装置２６の負荷を軽減することができる。同時に低圧紫外線ランプを備えた紫外線酸化装置を用いることで、残存する有機物の分解を効率的に行い、混床式イオン交換装置２７の負荷を軽減することができ、その結果、純水製造効率を向上させることができる。
【００７９】
また、一次純水システムの逆浸透膜装置２５を、逆浸透膜装置を２段とした２段逆浸透膜装置とすれば、有機物の除去率を向上させて二次純水システム３０の負荷を軽減することもできる。
【００８０】
第３の実施形態において、二次純水システムは、紫外線酸化装置３１と非再生式の混床式イオン交換装置（ポリッシャー）３２とをこの順に備えることで、一次純水中に微量残存する有機物を分解、吸着除去して高純度の純水を製造することができる。
【００８１】
このように、二次純水システムにも紫外線酸化装置３１と混床式イオン交換装置３２とを備えることで、一次純水中に微量残存する有機物をも効率的に分解し、高水質の純水を製造することができる。
【００８２】
さらに、紫外線酸化装置３１として、１８０〜１９０ｎｍの波長を含む紫外線を照射する低圧紫外線ランプを備えた紫外線酸化装置を用いれば、有機物をより効率的に分解することができる。
【００８３】
そして、第３の実施形態では、脱炭酸装置２３が揮発性有機物除去手段を備えており、難分解性の揮発性有機物の脱炭酸処理水への混入が抑制されるから、二次純水システム３０の負荷を低減することができる。例えば紫外線酸化装置３１での分解効率を向上させることができるし、ポリッシャー３２の寿命を延長することもできる。また、難分解性の揮発性有機物の脱炭酸処理水への混入が抑制されるので、例えば、ＴＯＣ濃度が１．０μｇＣ／Ｌ以下の高水質の純水を安定に製造することができる。
【００８４】
（第４の実施形態：脱炭酸処理方法）
本発明の第４の実施形態は、第３の実施形態において、純水製造システム１の混床式イオン交換装置２７の出口水のＴＯＣ濃度をモニターして、このＴＯＣ濃度に基づいてブロー空気の流路の切り替えを行い、揮発性有機物の予期せぬ混入を防止して脱炭酸処理するものである。その他については第１乃至第３の実施形態と同様であるため詳細な説明を省略する。
【００８５】
ところで、ＴＯＣ濃度を測定する一般的なＴＯＣ計は、第１及び第２の実施形態で用いられる揮発性有機物検知器に比べて例えば短時間で測定できるなど、応答性のよいことが知られている。
本実施形態は、比較的簡易な揮発性有機物検知器を用いた場合であっても、揮発性有機物の混入を防止しつつ脱炭酸処理することができる。
【００８６】
例えば、測定時間が３０分程度の揮発性有機物検出器を用い、第１乃至３の実施形態と同様に閾値を決定して揮発性有機物検出器の検出値に基づいてブロー空気の流路を切替えて脱炭酸処理行う場合には、揮発性有機物の検出にかかる３０分間は、揮発性有機物の混入した脱炭酸処理水が下流に送られるおそれが残る。ここで、混床式イオン交換装置２７の処理水の水質を、例えば測定時間が１０分程度のＴＯＣ計で測定して所定の水質以下の脱炭酸処理水が二次純水システムへ流入しないようにすることで、末端における水質をより安定に高水質で維持することができる。
【００８７】
第３の実施形態の純水製造システムでは、図６に示されるように混床式イオン交換装置２７の出口水は、揮発性有機物の混入のない状態で、ＴＯＣ濃度が２．０μｇＣ／Ｌ付近で定常状態（約６０分平均）となっている。
【００８８】
本実施形態では、好ましくはＴＯＣ濃度の定常状態から０．１〜０．５μｇＣ／Ｌを超える範囲に第１の閾値を決定し、混床式イオン交換装置２７の出口水中のＴＯＣ濃度が第１の閾値以下の時に、ブロー空気を、バイパスライン２１０を介して脱炭酸装置２３に送入するようにする。ＴＯＣ濃度が上第１の閾値を超えた時には、ブロー空気を、揮発性有機物除去装置２０６を経て脱炭酸装置２３に送入するようにする。
【００８９】
第１の閾値はＴＯＣ濃度の定常状態から０．５μｇＣ／Ｌ以上とすることが好ましく、０．３μｇＣ／Ｌ以上とすることがより好ましい。閾値を小さくすれば純水製造システムの末端付近におけるＴＯＣ濃度を低濃度で安定に維持できるが、小さすぎると排出する一次純水の量が多くなりコスト増を招くためである。
【００９０】
このとき、第１の実施形態と同様に、ＴＯＣ計の出力を制御装置に入力して電磁バルブの開閉を制御することで、ブロー空気の流路の切り替えを行うことができる。
【００９１】
さらに、好ましくはＴＯＣ濃度が定常状態から０．１〜１．２μｇＣ／Ｌを超える範囲、より好ましくは０．１〜０．５μｇＣ／Ｌを超える範囲に第２の閾値を決定し、混床式イオン交換装置２７の出口水中のＴＯＣ濃度が第２の閾値を超えた時に、一次純水を系外に排出し、又は前処理タンクＴ１に循環させてもよい。
【００９２】
第２の閾値は、測定されるＴＯＣ濃度が定常状態＋０．５μｇＣ／Ｌとすることが特に好ましい。第２の閾値を小さくすれば純水製造システムの末端付近におけるＴＯＣ濃度を低濃度で安定に維持できるが、小さすぎると排出される一次純水の量が多くなりコスト増を招くためである。
【００９３】
なお、ＴＯＣ濃度の測定場所は特に限定されず、純水製造システム１のタンクＴ２の直後からタンクＴ３の直前までの任意の場所であってよい。ＴＯＣ濃度の測定場所は、ＴＯＣ濃度の変化をモニターし易いため、逆浸透膜装置２５の直後又は混床式イオン交換装置２７の直後であることが特に好ましい。
【００９４】
また、ＴＯＣ濃度測定器は特に限定されず、例えば応答性に優れる導電率式のＴＯＣ計が好ましく使用される。
【００９５】
また、本実施形態では、ＴＯＣ濃度の測定値を利用してブロー空気の流路の切り替えや一次純水の排出を行うため、揮発性有機物検出値に閾値を決定する場合でも、その閾値は０．５ｍｇ／ｍ３より大きくてもよい。
【００９６】
このように、本実施形態では、一次純水システムにおいて難分解性の揮発性有機物の処理水への混入を防止することができるから、二次純水システム３０の負荷を低減することができる。例えば紫外線酸化装置３１での分解効率を向上させることができるし、ポリッシャー３２の寿命を延長することもできる。また、難分解性の揮発性有機物の脱炭酸処理水への混入が抑制されるので、例えば、ＴＯＣ濃度が１．０μｇＣ／Ｌ以下の高水質の純水を安定に製造することができる。
【実施例】
【００９７】
（実施例１）
実験１で用いた装置において、ブロー空気を、活性炭吸着塔２１４を介して脱炭酸装置２３に送入した以外は実験１と同じ装置、同じ条件で純水を製造した。
【００９８】
実施例１では、純水製造システム１から供給される純水の比抵抗が１８．２ＭΩ・ｃｍ以上、ＴＯＣ濃度が１．０μｇＣ／Ｌ以下の基準値で安定している状態で、実験１と同様にキシレンをプラスチック板に流下して放置した。
【００９９】
キシレン流下開始からの経過時間と、ＶＯＣ計２１２で測定されるブロー空気中の初期ＶＯＣ濃度との関係を図５に、脱炭酸装置２３、混床式イオン交換装置２７、ポリッシャー３２の出口水のＴＯＣ濃度との関係を図６に示す。図６において、鎖線は脱炭酸装置２３、細線は混床式イオン交換装置２７、太線はポリッシャー３２の出水中のＴＯＣ濃度を示している。後述する図７、図１０も同様である。
【０１００】
図５、６に示されるように、実施例１ではブロー空気中に３．７ｍｇ／ｍ３以下で揮発性有機物が混入しているが、混床式イオン交換装置２７、ポリッシャー３２の各出口水のＴＯＣ濃度がそれぞれ安定に推移している。特に、ポリッシャー３２の出口水のＴＯＣ濃度は安定して１．０μｇＣ／Ｌ以下を維持している。
【０１０１】
（実施例２）
実施例１で用いた装置のうち、脱炭酸装置２３として図４に示される脱炭酸膜装置４００を用いて純水製造システム１を構成した以外は実施例１と同じ装置、同じ条件で純水を製造した。
使用した脱炭酸膜装置は次のものである。
【０１０２】
脱炭酸膜装置４００：リキセル（登録商標）１８×２８外圧型分離膜Ｘ−４０、ポリポア（株）社製
【０１０３】
また、このとき、脱炭酸装置２３のブロー空気は、活性炭吸着塔２１４を介して脱炭酸塔２３内に送入した。
キシレンの流下開始からのＶＯＣ計２１２で測定される初期ＶＯＣ濃度の変化は図５とほぼ同様であり、初期ＶＯＣ濃度のピーク値は３．０ｍｇ／ｍ３であった。
このときの、脱炭酸装置２３、混床式イオン交換装置２７、ポリッシャー３２の出口水のＴＯＣ濃度との関係を図７に示す。
【０１０４】
実施例２ではブロー空気中に３．０ｍｇ／ｍ３以下で揮発性有機物が混入しているが、図７に示されるように、混床式イオン交換装置２７、ポリッシャー３２の各出口水のＴＯＣ濃度がそれぞれ安定に推移している。特に、ポリッシャー３２の出口水のＴＯＣ濃度は安定して１．０μｇＣ／Ｌ以下を維持している。
【０１０５】
（比較例１）
実施例２と同じ装置、同じ条件で、ブロー空気を、常時バイパス管２１０を介して脱炭酸装置２３に送入した他は実施例２と同じとして、２５０分間純水を製造した。
キシレンの流下開始からのＶＯＣ計２１２で測定される初期ＶＯＣ濃度の変化は図５とほぼ同様であり、初期ＶＯＣ濃度のピーク値は３．０ｍｇ／ｍ３であった。
このときの、脱炭酸装置２３、混床式イオン交換装置２７、ポリッシャー３２の出口水のＴＯＣ濃度との関係を図１０に示す。
【０１０６】
図１０より、比較例１では実験１と同様、混床式イオン交換装置２７、ポリッシャー３出口水のＴＯＣ濃度が一時的に上昇し、ポリッシャー３２の各出口水では１．０μｇＣ／Ｌを超えてしまう場合があることが分かる。
【０１０７】
（実施例３）
実施例１において、脱炭酸装置２３を実施形態のＶＯＣ除去装置付設脱炭酸装置２として、実施例１と同様にキシレンの流下開始から２５０分間、純水を製造した。
【０１０８】
このとき、表１に示すようにＶＯＣ濃度の閾値を設定して、それぞれの閾値を超えた時にバルブ２０７を開放し、バルブ２１１を閉鎖して、ブロー空気を、揮発性有機物除去装置２０６を介して脱炭酸塔２０１に送入し、また、ＶＯＣ計の検出値が上記したそれぞれの閾値以下となった時にバルブ２１１を開放し、バルブ２０７を閉鎖して、ブロー空気を、バイパス管２１０を介して脱炭酸塔２０１に送入した。バルブ２０７及びバルブ２１１の開閉は制御装置２１３で制御した。その他の装置及び条件は実施例１と同じとし、それぞれの場合のポリッシャー３２出口水のＴＯＣ濃度を測定した。
【０１０９】
ＶＯＣ計２１２で設定した閾値と、ポリッシャー３２出口水の最大ＴＯＣ濃度を表１に示す。
【０１１０】
なお、表１において例（１−１）〜（１−８）は実施例であり、例（１−９）、（１−１０）は比較例である。
【０１１１】
【表１】
2014091095.tif 000003
【０１１２】
表１において閾値を０．５ｍｇ／ｍ３以下としてブロー空気の流路の切り替えを行った例（１−１）〜（１−５）では、ポリッシャー３２の処理水のＴＯＣ濃度は０．３８μｇＣ／Ｌ以下を維持している。これは、揮発性有機物の混入がない場合に実施形態の純水製造システム１で製造される純水と同等の水質が安定して得られていることを示す。閾値を０．９ｍｇ／ｍ３以上とした例（１−９）、（１−１０）では、ポリッシャーの出口水が、一般的に要求される水質であるＴＯＣ濃度１．０μｇＣ／Ｌを超えてしまう場合があることが分かる。
【０１１３】
（実施例４）
実施例１において、脱炭酸装置２３を実施形態のＶＯＣ除去装置付設脱炭酸装置２として、実施例１と同様にキシレンの流下開始から２５０分間、純水を製造した。
【０１１４】
このとき、混床式イオン交換装置２７の出口水のＴＯＣ濃度を測定して、このＴＯＣ濃度の上昇値があらかじめ決定した閾値を超えたときに混床式イオン交換装置２７の直後に分岐したブローライン（図示せず）から一次純水を系外に排出するようにした。
【０１１５】
閾値は表２のように混床式イオン交換装置２７の出口水ＴＯＣ濃度の定常状態（約６０分平均）から０．１〜１．４μｇＣ／Ｌを超えた値の間で変更した。それぞれの場合のポリッシャー３２の出口水のＴＯＣ濃度を表２に示す。
【０１１６】
なお、表２において例（２−１）〜（２−９）は実施例であり、例（２−１０）は比較例である。
【０１１７】
【表２】
2014091095.tif 000004
【０１１８】
表２において、閾値を混床式イオン交換装置２７の出口水ＴＯＣ濃度の定常状態から＋０．５μｇＣ／Ｌ（Δ０．５μｇＣ／Ｌ）以下として一次純水を系外に排出した例（２−１）〜（２−５）では、ポリッシャー３２の出口水のＴＯＣ濃度は０．３８μｇＣ／Ｌ以下を維持している。これは、揮発性有機物の混入がない場合に実施形態の純水製造システム１で製造される純水と同等の水質が安定して得られていることを示す。一方、閾値を１．４μｇＣ／Ｌ以上とした例（２−１０）では、ポリッシャーの出口水が、一般的に要求される水質であるＴＯＣ濃度１．０μｇＣ／Ｌを超えてしまう場合があることが分かる。
【０１１９】
以上より、実施形態の純水製造システムによれば、予期せぬ揮発性有機物の混入を防止できることが分かる。そのため、難分解性の揮発性有機物に起因する処理水のＴＯＣ濃度の上昇を防止することができる。
【０１２０】
さらに、装置構成も簡易であり、運転管理も簡便であるため、効率よく高純度の純水を製造することが可能である。
【符号の説明】
【０１２１】
１…純水製造システム、２，４…ＶＯＣ除去装置付設脱炭酸装置、２０１…脱炭酸塔、２０２…充填層、２０３…処理水貯留部、２０４…給水管、２０５…ブロー管、２０６…揮発性有機物除去装置、２０７，２１１…電磁バルブ、２０８…入気管、２０９…ブローポンプ、２１０…バイパス管、２１２…揮発性有機物センサー（ＶＯＣ計）、２１３…制御装置、２１４…活性炭吸着塔、４００…脱炭酸膜装置、４０１…疎水性膜、４０２…液相、４０３…気相、４０４…被処理水供給管。
【図１】
2014091095.tif 000005
【図２】
2014091095.tif 000006
【図３】
2014091095.tif 000007
【図４】
2014091095.tif 000008
【図５】
2014091095.tif 000009
【図６】
2014091095.tif 000010
【図７】
2014091095.tif 000011
【図８】
2014091095.tif 000012
【図９】
2014091095.tif 000013
【図１０】
2014091095.tif 000014
【図１１】
2014091095.tif 000015